(57)【要約】【課題】  養生シートによる家屋床面の養生において、養生シートに粘着層を設けることにより養生後にシートを剥がすことが困難あるいは床面を損傷するといった問題がなく、作業性がよく、水やゴミの進入もなく、養生シートのリサイクルも可能な養生構造を提供する。【解決手段】  養生すべき家屋床面の周縁に止め具（１）を固定し、養生シートを、床面全面にわたって、隣合う養生シートどうしは重なり合うように敷き詰め、該養生シートを、周縁部および重なり合う部分において止め具（１）で固定することを特徴とする建築物床面の養生構造。【選択図】  図３
2005163446.tif 000002
【特許請求の範囲】
【請求項１】
養生すべき家屋床面の周縁に止め具（１）を固定し、養生シートを、床面全面にわたって、隣合う養生シートどうしは重なり合うように敷き詰め、該養生シートを、周縁部および重なり合う部分において止め具（１）で固定することを特徴とする建築物床面の養生構造。
【発明の詳細な説明】
【技術分野】
【０００１】
本発明は、家屋を建築する際の床面の養生構造に関するものである。
【背景技術】
【０００２】
家屋を建築する際に、その床面を保護するために粘着層を設けた養生シートを床面に敷設する方法が採られている。
【０００３】
この方法は、時間が経過すると粘着力が増大し、養生後にシートを剥がすことが困難であり、床面を損傷するといった問題がある。また、この粘着層が設けられたシートはリサイクル利用することができないという問題もある。
【０００４】
そこで、粘着層を設けない養生シートを用いることにより、上記問題を解決することが考えられ、その養生構造として次のような提案がなされている。
【０００５】
養生シートを広げ、継ぎ目に円管を置き、隣接するシートを円管上で重ね合わせ、この重ね合わせ部に断面Ｃ型の止め具を嵌め、シートを円管に密接する構造（特許文献１）。あるいは、壁際にサイドマットを設け、養生シートを敷き、このシートの周縁部をサイドマットの中に入れる構造（特許文献２）。
【特許文献１】特許公開平成７年２１７２１７号
【特許文献２】実用新案公開平成６年６５５５９号
【発明の開示】
【発明が解決しようとする課題】
【０００６】
上記円管を用いる場合、断面Ｃ型の止め具による密接では、強い密接力を得ようとしてＣ型止め具の開口をできるだけ狭くすると、嵌め合わせる作業が困難となる。一方、この開口を広くすると、密接力が弱く、容易に外れてしまう、とくに多数枚の養生シートを重ね合わせた場合は、この傾向が顕著となり、水やゴミの進入を許してしまうという問題がある。
【０００７】
また上記サイドマットを用いる場合、サイドマットの中に単に養生シートを入れているだけであり、サイドマットとシートとが固定されていないため、歩行した際などにシートのズレが発生し、この方法でも水やゴミが容易に進入してしまう。
【０００８】
本発明は、養生シートによる家屋床面の養生において、養生シートに粘着層を設けることにより養生後にシートを剥がすことが困難あるいは床面を損傷するといった問題がなく、作業性がよく、水やゴミの進入もなく、養生シートのリサイクルも可能な養生構造を提供するもの。
【課題を解決するための手段】
【０００９】
本発明は、養生すべき家屋床面の周縁に止め具（１）を固定し、養生シートを、床面全面にわたって、隣合う養生シートどうしは重なり合うように敷き詰め、該養生シートを、周縁部および重なり合う部分において止め具（１）で固定することを特徴とする建築物床面の養生構造を要旨とする。
【発明の効果】
【００１０】
本発明は、養生すべき家屋床面の周縁に止め具（１）を固定し、養生シートを、床面全面にわたって、隣合う養生シートどうしは重なり合うように敷き詰め、該養生シートを、周縁部および重なり合う部分において止め具（１）で固定することを特徴とする建築物床面の養生構造であり、養生シートが作業性よく、強固に固定されるため、水やゴミの進入を防ぐ。もちろん、従来養生シートの粘着層に伴う問題もなく、養生シートはリサイクル使用できる。
【発明を実施するための最良の形態】
【００１１】
本発明の養生シートとしては、不透水性の合成樹脂（ポリエチレン、軟質塩化ビニルなど）シート、あるいは建築物等の養生用に一般的に用いられているブルーシートが用いられる。
【００１２】
本発明の止め具（１）は、図１に示すように、断面略Ｃ型の突起（１１）を有するベース（１０）と、断面略Ｃ型の突起（２１）および嵌合ガイド（２２）とを有するカバー（２０）とより構成される。突起（２１）と嵌合ガイド（２２）とで形成される溝に突起（１１）が挿入されることにより、カバーとベースとが嵌合される構造となっている。
【００１３】
止め具（１）を構成するベース（１０）、カバー（２０）は、プラスチック、例えば塩化ビニル樹脂、ポリエチレン、ポリプロピレン、ＡＢＳ樹脂、ポリカーボネートなどの熱可塑性樹脂を押出成形して作られ、突起（１１）、突起（２１）あるいは嵌合ガイド（２２）などは弾力をもったものとなる。
【００１４】
止め具（１）への養生シートの固定は、図２（イ）および図２（ロ）に示すように、ベース（１０）の上に養生シートを配し、カバー（２０）をベース（１０）に嵌めこむことによってなされる。養生シートは、嵌合ガイド（２２）とベース（１０）の基板で押さえつけられ、カバー（２０）の突起（２１）とベースの突起（１１）との間、および嵌合ガイド（２２）とベースの突起（１１）との間で二重に挟み込まれ固定され、養生シ−トを複数枚挟み込んでも、容易に嵌合が外れない構造となっており、養生シートは強固に固定され、水やゴミの進入を防ぐことができる。またカバーをベースに挿入するという操作のみであり、作業の困難性もない。
【００１５】
本発明の養生構造について説明する（図３参照）。
【００１６】
ベース（１０）を養生すべき床面の周縁に固定する。この固定には両面テープを用いた固定が可能であるが、止め具を再利用するため、ベース（１０）に取付片（１２）を設け、タッカー、釘などで固定することが望ましい。養生シートが重なり合う部分の床面にもベース（１０）を同様にして固定する。
【００１７】
養生シートを床面全面に敷く。周縁部では、養生シートが、固定されているベースより５０ｍｍ以上飛び出るようにし、養生シートどうしは５０〜１００ｍｍ程度重ね合うように敷き詰める。
【００１８】
先ず、養生シートが重なり合っている部分のベース（１０）に、養生シートの上からカバー（２０）を嵌め込み、養生シートを止め具に固定する。次いで、養生シートを周縁方向に多少引っ張り、養生シートにシワなどがない状態で、上記同様にして、周縁部のベースに養生シートを固定する。ここで、養生シートを１枚しか用いない場合は、重ね合わせ部はなく周縁での固定だけとなる。
【００１９】
養生期間が終了した時点で、カバーを外して養生シートを回収し、さらにベースも取り外す。このようにすることにより、回収された養生シートはもちろん、止め具もリサイクル利用できる。
【図面の簡単な説明】
【００２０】
【図１】止め具を示す断面図
【図２】止め具による養生シートの固定を示す断面図
【図３】養生構造を示す平面図
【符号の説明】
【００２１】
１  止め具
１０  ベース
１１  ベースの突起
１２  取付片
２０  カバー
２１  カバーの突起
２２  嵌合ガイド
【図１】
2005163446.tif 000003
【図２】
2005163446.tif 000004
【図３】
2005163446.tif 000005